【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
基地局によるワイヤレス通信のための方法であって、
第１のタイプの第１のデバイスおよび第２のタイプの第２のデバイスに関わる重複するリソース割り当てを有するサブフレームの領域を決定することと、ここにおいて、前記第１のタイプの前記第１のデバイスは、前記第２のタイプの前記第２のデバイスと比較して低遅延で特定のプロシージャを実施するための能力を有し、前記第２のタイプの前記第２のデバイスは前記能力を欠いている、
階層変調スキームを使用して、前記第１および第２のデバイスへの送信のために前記サブフレームの前記領域からのデータを変調することと、ここにおいて、前記階層変調スキームを使用して前記データを変調することは、前記第１のデバイスのためにのみまたは第２のデバイスのためにのみ割り当てられる前記サブフレームの領域からのデータの送信のために使用される変調スキームと比較して、前記重複するリソース割り当てを備える前記領域からのデータの送信のためにより高次の変調スキームを使用することを備える、
を備える、方法。
【請求項２】
前記より高次の変調スキームにしたがって前記データを送信することは、前記第１および第２のデバイスの信号セットの組み合わせである信号セットを送信することを備える、請求項１に記載の方法。
【請求項３】
前記信号セットは、変調クワドラント内のコンスタレーション・ポイント間で相対距離を維持しながら、他の変調クワドラントのコンスタレーション・ポイントから離れるように前記変調クワドラントのコンスタレーション・ポイントを移動させるスケーリング・ファクタによってパラメータ化される、請求項２に記載の方法。
【請求項４】
前記階層変調スキームを使用して前記データを変調することは、
前記第２のデバイスにベース・レイヤとして定義されるデータのビットのセットをマッピングすることと、ビットの前記セットは変調クワドラントを指示する、
前記第１のデバイスに拡張レイヤとして定義される前記データのビットの残りのセットをマッピングすることと、ビットの前記残りのセットは、前記変調クワドラント内でデータ・ビットの配置を指示する、
を備える、請求項１に記載の方法。
【請求項５】
前記第１のデバイスに前記第２のデバイスのリソース割り当てを送信することをさらに備える、請求項１に記載の方法。
【請求項６】
前記リソース割り当てを送信することは、前記第２のデバイスの前記リソース割り当てを搬送するための新しいＤＣＩフォーマットにしたがって、前記第１のデバイスのためのリソース割り当てを一般的に搬送する制御チャネルを送信することを備える、請求項５に記載の方法。
【請求項７】
前記新しいＤＣＩフォーマットは、リソース・ブロック（ＲＢ）の整数の粒度で前記第２のデバイスの前記リソース割り当てを指示する、請求項６に記載の方法。
【請求項８】
前記階層変調スキームは、前記第２のデバイスに対して透過である、請求項１に記載の方法。
【請求項９】
第１のタイプの第１のデバイスによるワイヤレス通信のための方法であって、
第２のタイプの第２のデバイスのリソース割り当てを受信することと、ここにおいて、前記第１のタイプの前記第１のデバイスは、前記第２のタイプの前記第２のデバイスと比較して低遅延で特定のプロシージャを実施するための能力を有し、前記第２のタイプの前記第２のデバイスは前記能力を欠いている、
前記第２のデバイスの前記受信されたリソース割り当てに基づいて、前記第１のデバイスおよび前記第２のデバイスに関わる重複するリソース割り当てを有するサブフレームの領域を決定することと、
前記サブフレームの前記領域において割り当てられたリソースを使用してデータを受信することと、ここにおいて、前記第１のデバイスのためにのみまたは第２のデバイスのためにのみ割り当てられる前記サブフレームの領域からのデータを変調するために使用される変調スキームと比較して、より高次の変調スキームが、前記重複するリソース割り当てを有する前記サブフレームの前記領域で受信された前記データを変調するために使用されており、
前記決定に基づいて前記データを復号することを試みることと、ここにおいて前記データは、階層変調スキームを使用して変調されている、
を備える、方法。
【請求項１０】
前記サブフレームの前記領域で割り当てられた前記リソースを使用して前記データを受信することは、前記第１および第２のデバイスの信号セットの組み合わせである信号セットを受信することを備え、前記組み合わせは、前記より高次の変調スキームに基づいて生成される、請求項９に記載の方法。
【請求項１１】
前記信号セットは、変調クワドラント内のコンスタレーション・ポイント間で相対距離を維持しながら、他の変調クワドラントのコンスタレーション・ポイントから離れるように前記変調クワドラントのコンスタレーション・ポイントを移動させるスケーリング・ファクタによってパラメータ化される、請求項１０に記載の方法。
【請求項１２】
前記第２のデバイスのリソース割り当てを受信することは、前記第２のデバイスの前記リソース割り当てを搬送する新しいダウンリンク制御情報（ＤＣＩ）フォーマットにしたがって、前記第１のデバイスのためのリソース割り当てを一般的に搬送する制御チャネルを受信することを備える、請求項９に記載の方法。
【請求項１３】
コンピュータによって実行されるとき、前記コンピュータに、請求項１ないし８または９ないし１２のいずれか一項に記載の方法を実施させるための命令を備える、コンピュータ可読媒体。
【請求項１４】
基地局であって、
第１のタイプの第１のデバイスおよび第２のタイプの第２のデバイスに関わる重複するリソース割り当てを有するサブフレームの領域を決定するための手段と、ここにおいて、前記第１のタイプの前記第１のデバイスは、前記第２のタイプの前記第２のデバイスと比較して低遅延で特定のプロシージャを実施するための能力を有し、前記第２のタイプの前記第２のデバイスは前記能力を欠いている、
階層変調スキームを使用して、前記第１および第２のデバイスへの送信のために前記サブフレームの前記領域からのデータを変調するための手段と、ここにおいて、前記階層変調スキームを使用して前記データを変調するための前記手段は、前記第１のデバイスのためにのみまたは第２のデバイスのためにのみ割り当てられる前記サブフレームの領域からのデータの送信のために使用される変調スキームと比較して、前記重複するリソース割り当てを備える前記領域からのデータの送信のためにより高次の変調スキームを使用することを備える、
を備える、基地局。
【請求項１５】
第１のタイプの第１のデバイスであって、
第２のタイプの第２のデバイスのリソース割り当てを受信するための手段と、ここにおいて、前記第１のタイプの前記第１のデバイスは、前記第２のタイプの前記第２のデバイスと比較して低遅延で特定のプロシージャを実施するための能力を有し、前記第２のタイプの前記第２のデバイスは前記能力を欠いている、
前記第２のデバイスの前記受信されたリソース割り当てに基づいて、前記第１のデバイスおよび前記第２のデバイスに関わる重複するリソース割り当てを有するサブフレームの領域を決定するための手段と、
前記サブフレームの前記領域において割り当てられたリソースを使用してデータを受信するための手段と、ここにおいて、前記第１のデバイスのためにのみまたは第２のデバイスのためにのみ割り当てられる前記サブフレームの領域からのデータを変調するために使用される変調スキームと比較して、より高次の変調スキームが、前記重複するリソース割り当てを有する前記サブフレームの前記領域で受信された前記データを変調するために使用されており、
前記決定に基づいて前記データを復号することを試みるための手段と、ここにおいて前記データは、階層変調スキームを使用して変調されている、
を備える第１のデバイス。
【手続補正２】
【補正対象書類名】明細書
【補正対象項目名】００８６
【補正方法】変更
【補正の内容】
【００８６】
[0102]  先の説明は、いかなる当業者にも本書で説明されたさまざまな態様を実施することを可能にするように、提供される。これらの態様へのさまざまな修正は、当業者に容易に明らかとなり、本書に定義された包括的な原理は、他の態様に適用され得る。かくして、特許請求の範囲は、本書に示された態様に限定されることは意図されてはいないが、特許請求の範囲の文言と一致する全範囲を付与されるべきであり、ここにおいて、単数形での要素への言及は、そうであると具体的に記載されない限り、「１つおよび１つのみ」を意味することは意図されず、むしろ「１つまたは複数」を意味することが意図される。そうでないと具体的に記載されない限り、「何らかの／いくつかの」という用語は、１つまたは複数を指す。当業者に既知の、または後に周知となる、本開示を全体にわたって説明されたさまざまな態様の要素と構造的および機能的に同等な物はすべて、参照によって本書に明確に組み込まれ、特許請求の範囲に包含されることが意図される。さらに、本書で開示されたものが、特許請求の範囲の中に明示的に記載されているか否かに関わらず、公に捧げられることを意図していない。要素が「〜のための手段」というフレーズを使用して明確に記載されていない限り、どの請求項の要素もミーンズ・プラス・ファンクションとして解釈されるべきではない。
以下に本願の出願当初の特許請求の範囲に記載された発明を付記する。
［Ｃ１］  基地局によるワイヤレス通信のための方法であって、
第１のタイプの第１のデバイスおよび第２のタイプの第２のデバイスに関わる重複するリソース割り当てを有するサブフレームの領域を決定することと、ここにおいて、前記第１のタイプの前記第１のデバイスは、前記第２のタイプの前記第２のデバイスと比較して低遅延で特定のプロシージャを実施するための能力を有し、前記第２のタイプの前記第２のデバイスは前記能力を欠いている、
階層変調スキームを使用して、前記第１および第２のデバイスへの送信のために前記サブフレームの前記領域からのデータを変調することと、を備える、方法。
［Ｃ２］  前記階層変調スキームを使用して前記データを変調することは、前記第１のデバイスのためにのみまたは第２のデバイスのためにのみ割り当てられる前記サブフレームの領域からのデータの送信のために前記変調スキームが使用されるのに対して、前記重複するリソース割り当てを備える前記領域からのデータの送信のために高次変調スキームを使用することを備える、Ｃ１に記載の方法。
［Ｃ３］  前記第２のデバイスは、ＱＰＳＫ変調スキームに変えられる、Ｃ１に記載の方法。
［Ｃ４］  前記高次変調スキームにしたがって前記データを送信することは、前記第１および第２のデバイスの信号セットの組み合わせである信号セットを送信することを備える、Ｃ２に記載の方法。
［Ｃ５］  前記信号セットは、変調クワドラント内のコンスタレーション・ポイント間で相対距離を維持しながら、他の変調クワドラントのコンスタレーション・ポイントから離れるように前記変調クワドラントのコンスタレーション・ポイントを移動させるスケーリング・ファクタによってパラメータ化される、Ｃ４に記載の方法。
［Ｃ６］  前記第１のデバイスによる変調で使用するために前記第１のデバイスに前記階層変調スキームのために使用される前記スケーリング・ファクタの値を送信することをさらに備える、Ｃ５に記載の方法。
［Ｃ７］  前記階層変調スキームを使用して前記データを変調することは、
前記第２のデバイスにベース・レイヤとして定義されるデータのビットのセットをマッピングすることと、ビットの前記セットは変調クワドラントを指示する、
前記第１のデバイスに拡張レイヤとして定義される前記データのビットの残りのセットをマッピングすることと、ビットの前記残りのセットは、前記変調クワドラント内でデータ・ビットの配置を指示する、を備える、Ｃ１に記載の方法。
［Ｃ８］  前記第１のデバイスに前記第２のデバイスのリソース割り当てを送信することをさらに備える、Ｃ１に記載の方法。
［Ｃ９］  前記リソース割り当てを送信することは、前記第２のデバイスの前記リソース割り当てを搬送するための新しいＤＣＩフォーマットにしたがって、前記第１のデバイスのためのリソース割り当てを一般的に搬送する制御チャネルを送信することを備える、Ｃ８に記載の方法。
［Ｃ１０］  前記新しいＤＣＩフォーマットは、リソース・ブロック（ＲＢ）の整数の粒度で前記第２のデバイスの前記リソース割り当てを指示する、Ｃ９に記載の方法。
［Ｃ１１］  前記階層変調スキームは、前記第２のデバイスに対して透過である、Ｃ1に記載の方法。
［Ｃ１２］  第１のタイプの第１のデバイスによるワイヤレス通信のための方法であって、
第２のタイプの第２のデバイスのリソース割り当てを受信することと、ここにおいて、前記第１のタイプの前記第１のデバイスは、前記第２のタイプの前記第２のデバイスと比較して低遅延で特定のプロシージャを実施するための能力を有し、前記第２のタイプの前記第２のデバイスは前記能力を欠いている、
前記第２のデバイスの前記受信されたリソース割り当てに基づいて、前記第１のデバイスおよび前記第２のデバイスに関わる重複するリソース割り当てを有するサブフレームの領域を決定することと、
前記サブフレームの前記領域において割り当てられたリソースを使用してデータを受信することと、
前記決定に基づいて前記データを復号することを試みることと、ここにおいて前記データは、階層変調スキームを使用して変調されている、を備える、方法。
［Ｃ１３］  高次変調スキームは、前記重複するリソース割り当てを有する前記サブフレームの前記領域で受信された前記データを変調するために使用され、これに対して、前記変調スキームは、前記第１のデバイスのためにのみまたは第２のデバイスのためにのみ割り当てられる前記サブフレームの領域からのデータを変調するために使用される、Ｃ１２に記載の方法。
［Ｃ１４］  前記サブフレームの前記領域で割り当てられた前記リソースを使用して前記データを受信することは、前記第１および第２のデバイスの信号セットの組み合わせである信号セットを受信することを備え、前記組み合わせは、前記高次変調スキームに基づいて生成される、Ｃ１３に記載の方法。
［Ｃ１５］  前記信号セットは、変調クワドラント内のコンスタレーション・ポイント間で相対距離を維持しながら、他の変調クワドラントのコンスタレーション・ポイントから離れるように前記変調クワドラントのコンスタレーション・ポイントを移動させるスケーリング・ファクタによってパラメータ化される、Ｃ１４に記載の方法。
［Ｃ１６］  前記スケーリング・ファクタの値を指示する情報を受信することをさらに備える、Ｃ１５に記載の方法。
［Ｃ１７］  ベース・レイヤとして定義されるデータのビットのセットは、変調クワドラントを指示し、
拡張レイヤとして定義される前記データのビットの残りのセットは、前記変調クワドラント内でデータ・ビットの配置を指示する、Ｃ１５に記載の方法。
［Ｃ１８］  前記データを復号することを試みることは、
ビットの前記セットに基づいて前記変調クワドラントを決定することと、
前記スケーリング・ファクタの前記受信された値およびビットの前記残りのセットに基づいて前記変調クワドラント内で前記データ・ビットの配置を決定することと、を備える、Ｃ１７に記載の方法。
［Ｃ１９］  前記第２のデバイスのリソース割り当てを受信することは、制御チャネルを受信することを備え、それは、概して、前記第２のデバイスの前記リソース割り当てを搬送する新しいダウンリンク制御情報（ＤＣＩ）フォーマットにしたがって、前記第１のデバイスのためのリソース割り当てを搬送する、Ｃ１２に記載の方法。
［Ｃ２０］  前記新しいＤＣＩフォーマットは、リソース・ブロック（ＲＢ）の整数の粒度で前記第２のデバイスの前記リソース割り当てを指示する、Ｃ１９に記載の方法。
［Ｃ２１］  基地局によるワイヤレス通信のための方法であって、
第１のタイプの第１のデバイスに関わる第１の送信および第２のタイプの第２のデバイスに関わる第２の送信が同じリソース・エレメントにマッピングされることを決定することと、ここにおいて、デバイスの前記第１のタイプは、デバイスの前記第２のタイプと比較して低遅延で特定のプロシージャを実施するための能力を有し、デバイスの前記第２のタイプは前記能力を欠いている、
前記リソース・エレメントを使用して送信される第３の送信を決定するために前記第１および第２の送信のソフト・シンボル対数尤度比（ＬＬＲ）強度を合同で調整することと、を備える、方法。
［Ｃ２２］  前記第１および第２の送信の前記ＬＬＲ強度を合同で調整することは、ビットごとに基づいてＬＬＲ強度を調整することを備える、Ｃ２１に記載の方法。
［Ｃ２３］  前記第１および第２の送信の前記ＬＬＲ強度を合同で調整することは、前記第１および第２の送信の少なくとも１つのビットの前記ＬＬＲ強度を調整することを備える、Ｃ２２に記載の方法。
［Ｃ２４］  前記第３の送信は、前記送信のために使用される変調スキームのコンスタレーション・ポイントのセットからではないコンスタレーション・ポイントを備える、Ｃ２１に記載の方法。
［Ｃ２５］  前記ソフト・シンボルＬＬＲ強度を前記合同で調整することは、前記第１および第２のデバイスへの先の送信の性能のアプリオリの知識に基づく、Ｃ２１に記載の方法。
［Ｃ２６］  第１のタイプの第１のデバイスであって、
第２のタイプの第２のデバイスのリソース割り当てを受信することと、ここにおいて、前記第１のタイプの前記第１のデバイスは、前記第２のタイプの前記第２のデバイスと比較して低遅延で特定のプロシージャを実施するための能力を有し、前記第２のタイプの前記第２のデバイスは前記能力を欠いている、
前記第２のデバイスの前記受信されたリソース割り当てに基づいて、前記第１のデバイスおよび前記第２のデバイスに関わる重複するリソース割り当てを有するサブフレームの領域を決定することと、
前記サブフレームの前記領域において割り当てられたリソースを使用してデータを受信することと、
前記決定に基づいて前記データを復号することを試みることと、ここにおいて前記データは、階層変調スキームを使用して変調されている、を行うように構成されている、少なくとも１つのプロセッサと、
前記少なくとも１つのプロセッサに結合されたメモリと、
を備える第１のデバイス。
［Ｃ２７］  高次変調スキームは、前記重複するリソース割り当てを備える前記サブフレームの前記領域で受信された前記データを変調するために使用され、これに対して、変調スキームは、前記第１のデバイスのためにのみまたは第２のデバイスのためにのみ割り当てられる前記サブフレームの領域からのデータを変調するために使用される、Ｃ２６に記載の第１のデバイス。
［Ｃ２８］  前記少なくとも１つのプロセッサは、前記第１および第２のデバイスの信号セットの組み合わせである信号セットを受信するように構成されており、前記組み合わせは、前記高次変調スキームに基づいて生成される、Ｃ２７に記載の第１のデバイス。
［Ｃ２９］  前記信号セットは、変調クワドラント内のコンスタレーション・ポイント間で相対距離を維持しながら、他の変調クワドラントのコンスタレーション・ポイントから離れるように前記変調クワドラントのコンスタレーション・ポイントを移動させるスケーリング・ファクタによってパラメータ化される、Ｃ２８に記載の第１のデバイス。
［Ｃ３０］  ベース・レイヤとして定義されるデータのビットのセットは、変調クワドラントを指示し、
拡張レイヤとして定義される前記データのビットの残りのセットは、前記変調クワドラント内でデータ・ビットの配置を指示する、Ｃ２９に記載の第１のデバイス。